(57)【特許請求の範囲】
【請求項１】
商用電源を直流電圧に変換する直流変換部と、その直流電圧を１個以上のスイッチング素子により高周波に変換して放電灯を点灯させるインバータ部と、放電灯の寿命末期に発振周波数を上昇もしくは発振を停止させる機能を有するランプ寿命末期検出回路と、ランプ始動に必要な始動電圧に達するとその始動電圧で略保持する機能を有する始動電圧ピーク検出回路とを有する放電灯点灯装置であって、ランプ寿命末期検出回路は放電灯の両端電圧を分圧する第１の抵抗直列回路を備え、この第１の抵抗直列回路により分圧された電圧を監視しており、始動電圧ピーク検出回路は前記第１の抵抗直列回路により分圧された電圧をさらに分圧する第２の抵抗直列回路を備え、この第２の抵抗直列回路により分圧された電圧を監視していることを特徴とする放電灯点灯装置。
【請求項２】
始動電圧ピーク検出回路は、周囲温度が変化しても放電灯が点灯するのに必要な電圧を発生させるように、周囲温度変化に応じて始動電圧を変化させる機能を有することを特徴とする請求項１記載の放電灯点灯装置。
【請求項３】
始動電圧ピーク検出回路は、周囲温度変化に応じて始動電圧を変化させるために、トランジスタのｈｆｅの温度特性を利用していることを特徴とする請求項１または２に記載の放電灯点灯装置。
【請求項４】
始動電圧ピーク検出回路は、熱応動素子の温度特性を利用したプログラムにより周囲温度変化に応じて始動電圧を変化させることを特徴とする請求項１または２に記載の放電灯点灯装置。
【請求項５】
始動電圧ピーク検出回路は、常温を変曲点として始動電圧が変化するようにプログラムされていることを特徴とする請求項１、２または４のいずれかに記載の放電灯点灯装置。
【請求項６】
前記熱応動素子は、放電灯および放電灯点灯装置の輻射熱の影響を受け難い箇所に配置したことを特徴とする請求項４または５に記載の放電灯点灯装置。
【発明の詳細な説明】
【０００１】
【発明の属する技術分野】
本発明は商用交流電源を高周波に変換して放電灯を点灯させる放電灯点灯装置に関するものである。
【０００２】
【従来の技術】
（従来例１）
放電灯点灯装置の従来例を図１５に示す。図１５の点灯装置は、電源平滑回路１とインバータ回路２とから構成されている。電源平滑回路１は、商用交流電源ＡＣをダイオードＤ１〜Ｄ４のブリッジ回路により全波整流し、その整流出力を平滑コンデンサＣ１により平滑しており、平滑コンデンサＣ１の直流出力電圧がインバータ回路２に供給されている。インバータ回路２は、スイッチング素子Ｑ１、Ｑ２の直列回路を備えており、各スイッチング素子Ｑ１、Ｑ２は高耐圧ドライバー内蔵の制御ＩＣ６により交互にオン・オフされる。電源平滑回路１の平滑コンデンサＣ１の電圧は、電流検出用の抵抗Ｒ１を介してスイッチング素子Ｑ１，Ｑ２の直列回路に印加されている。スイッチング素子Ｑ１、Ｑ２の接続点と平滑コンデンサＣ１の負極との間には、限流用チョークＬ１、コンデンサＣ３、放電灯Ｌａの直列回路が接続されている。放電灯Ｌａはランプソケットを介して接続されており、放電灯Ｌａのフィラメントの非電源側端子間には、コンデンサＣ４が並列接続されている。限流用チョークＬ１とコンデンサＣ４はＬＣ直列共振回路を構成しており、コンデンサＣ４の両端に生じる共振電圧により放電灯Ｌａが点灯される。
【０００３】
図１５の回路では、放電灯Ｌａの状態をランプ寿命末期検出回路３により監視しており、放電灯Ｌａの寿命末期等の異常時には、放電灯Ｌａの両端電圧（ランプ電圧のピーク対ピーク値）が上昇し、発振停止回路４より停止信号が制御ＩＣ６に与えられ、制御ＩＣ６は発振を停止し、インバータ回路２も停止し、異常時の保護を行っている。なお、発振を停止させる代わりに発振周波数を上昇させて出力を低下させても良い。
【０００４】
制御ＩＣ６としてはフィリップス社製のＵＢＡ２０２１を用いている。この制御ＩＣ６では動作下限周波数ｆＢを決めることにより動作上限周波数ｆｓが決まり、この動作下限周波数ｆＢと動作上限周波数ｆｓの間でインバータ回路２の周波数を制御している。具体的には上限周波数ｆｓで発振開始し、その後、ある期間（予熱モード）では予熱周波数ｆｐｈで固定される。予熱が終了すると、予熱周波数ｆｐｈから動作下限周波数ｆＢまで連続的に発振周波数が変化し、それに伴い、放電灯Ｌａの両端に印加される電圧も上昇してくる（始動モード）。そうすると、ある動作点で放電灯Ｌａは点灯する。確実に放電灯Ｌａを点灯させるため、インバータ回路２の無負荷共振周波数ｆ０よりも動作下限周波数ｆＢを低く設定している。放電灯Ｌａが点灯すると、発振周波数は一旦は動作下限周波数ｆＢまで下降するが、その後、制御ＩＣ６のフィードバック機能により最適な発振周波数ｆＦで制御する。各発振周波数の関係はｆＢ＜ｆ０＜ｆＦ＜ｆｐｈ＜ｆｓである。この従来例のインバータ回路２の共振カーブ上での動作点の推移を図１６に、電源投入時からの発振周波数の推移を図１７に、放電灯Ｌａの両端に印加される電圧の推移を図１８に示す。図１８において、実線は正常点灯時、破線は寿命末期時のランプ両端電圧の推移を示している。
【０００５】
（従来例２）
放電灯点灯装置の他の従来例を図１９に示す。この従来例では電源平滑回路１を倍電圧整流回路としている。商用交流電源ＡＣの正の半サイクルでは、ダイオードＤ１を介して平滑コンデンサＣ１が充電され、負の半サイクルでは、ダイオードＤ２を介して平滑コンデンサＣ２が充電される。平滑コンデンサＣ１とＣ２を直列接続することにより、図１５の電源平滑回路１に比べて２倍の直流電圧をインバータ回路１に供給することができる。本例は従来例１と回路動作は全く同様であるが、発振周波数の設定を一部変更している。すなわち、図２０に示すように、無負荷共振周波数ｆ０を動作下限周波数ｆＢよりも低く設定することにより、ランプ不点灯時においても容量性モード（進相モード）での動作を防止している。この場合の発振周波数の関係は、ｆ０＜ｆＢ＜ｆＦ＜ｆｐｈ＜ｆｓとなる。始動モード時は動作下限周波数ｆＢで固定されるため、周波数のバラツキ吸収用として制御ＩＣ６に可変抵抗ＶＲを付加している。ランプ不点灯の状態が続くと従来例１と同様に発振停止する。この従来例のインバータ回路２の共振カーブ上での動作点の推移を図２０に、電源投入時からの発振周波数の推移を図２１に、放電灯Ｌａの両端に印加される電圧の推移を図２２に示す。図２２において、実線は正常点灯時、破線は寿命末期時のランプ両端電圧の推移を示している。
【０００６】
（従来例３）
従来の据え置き型デスクスタンドの外観を図２３〜図２５に示す。図２３は斜視図、図２４は内部構造を透視した正面図、図２５は内部構造を透視した側面図である。図中、１１は器具本体、１２はスイッチ、１３は立設部、１４はセード、１５はランプソケット、１９はランプ配線、２０は点灯装置収納箇所、Ｌａはランプ、Ｃ４は共振コンデンサである。ランプＬａは例えばＵ字型の蛍光ランプを用いている。従来例１または２で説明した放電灯点灯装置（図１５または図１９）を器具本体１１に配置し、立設部１３に放電灯Ｌａ接続用のランプ配線１９を通し、ランプソケット１５に接続されている。また、ランプソケット１５に直付でインバータ回路２の共振コンデンサＣ４を接続している。これにより立設部１３に通す線の本数を少なくし、部品点数を削減し、立設部１３を細くすることによりデザイン性を改善している。
【０００７】
【発明が解決しようとする課題】
従来例１においては、寿命末期等ランプが不点灯となる状態において、始動モード時のインバータの動作周波数は無負荷共振周波数ｆ０よりも低い進相モードとなり、電気的ストレスが大きくなる。そのため部品信頼性を確保するため、スペックを大きくする必要があり、コスト低減、小型化には不利であった。
【０００８】
一方、従来例２では上記のような場合でも進相モードとなることはなく、ランプ始動時の電圧もある一定以上には上がらないため、印加される電気的ストレスを抑えることができる。しかし部品のバラツキや電源電圧変動によりランプ始動時の電圧のバラツキが大きく、十分な始動電圧を印加することができない可能性がある。これを防止するため公差の少ない部品を使用したり、可変抵抗等により発振周波数を調整する必要があり、コストアップにつながる。
【０００９】
また、従来例では放電灯点灯装置の周囲温度が変わっても始動モード時の電圧はあまり変化しないため、低温時に放電灯を点灯するために必要な電圧を確保すると、常温以上の領域では始動モード時に必要以上の電圧が発生する。そうすると高温時ストレス耐量の低下する半導体、チョーク等の部品について高温時の電気的ストレス耐量を確保するには、スペックの大きい部品を使用する必要があり、コスト低減、小型化には不利となっている。
【００１０】
本発明は放電灯が寿命末期等の異常時においても放電灯点灯装置の信頼性を確保し、また環境変化の際にも確実に放電灯の始動点灯機能を有する点灯装置をできるだけ簡易な構成でコストアップを抑えて実現することを課題とするものである。
【００１１】
【課題を解決するための手段】
本発明によれば、上記の課題を解決するために、図１に示すように、商用電源ＡＣを直流電圧に変換する直流変換部（電源平滑回路１）と、その直流電圧を１個以上のスイッチング素子Ｑ１，Ｑ２により高周波に変換して放電灯Ｌａを点灯させるインバータ回路２と、放電灯Ｌａの寿命末期に発振周波数を上昇もしくは発振を停止させる機能を有するランプ寿命末期検出回路３と、ランプ始動に必要な始動電圧に達するとその始動電圧で略保持する機能を有する始動電圧ピーク検出回路５とを有する放電灯点灯装置であって、ランプ寿命末期検出回路３は放電灯Ｌａの両端電圧を分圧する第１の抵抗直列回路（Ｒ４，Ｒ５，Ｒ６）を備え、この第１の抵抗直列回路（Ｒ４，Ｒ５，Ｒ６）により分圧された電圧を監視しており、始動電圧ピーク検出回路５は前記第１の抵抗直列回路（Ｒ４，Ｒ５，Ｒ６）により分圧された電圧をさらに分圧する第２の抵抗直列回路（Ｒ１０，Ｒ９）を備え、この第２の抵抗直列回路（Ｒ１０，Ｒ９）により分圧された電圧を監視していることを特徴とするものである。
【００１２】
【発明の実施の形態】
（実施の形態１）
図１は本発明の第１の実施の形態の回路図である。この実施の形態では、従来例１（図１５）に始動電圧ピーク検出回路５を追加した構成となっている。ランプ寿命末期検出回路３が監視しているモニター値を始動電圧ピーク検出回路５においても同様に監視しており、ランプ始動に必要な始動電圧に達するとその始動電圧で略保持する機能を有する。ランプ寿命末期検出回路３は後続の発振停止回路４により実効値を判定してランプ電圧の異常上昇が続いたときに発振を停止させるように動作するのに対し、始動電圧ピーク検出回路５はランプ電圧のピーク値を検出してピーク値が制限されるように動作する。以下、その回路構成について説明する。
【００１３】
ランプ寿命末期検出回路３は、ランプ両端電圧を抵抗Ｒ４、Ｒ５と抵抗Ｒ６により分圧し、抵抗Ｒ６の両端に得られた分圧電圧を半波整流用のダイオードＤ６を介してコンデンサＣ５に充電し、コンデンサＣ５にランプ両端電圧の負極性のピーク値に応じた直流電圧を充電している。ランプ両端電圧の極性が正極性のときには、抵抗Ｒ６の両端に得られた分圧電圧とコンデンサＣ５に充電された直流電圧の和に相当する電圧がダイオードＤ７を介して出力され、発振停止回路４の抵抗Ｒ７とコンデンサＣ６の並列回路に印加される。これにより、コンデンサＣ６には、ランプ両端電圧の正のピーク値と負のピーク値の電圧差を分圧した直流電圧が充電される。正常点灯時には、コンデンサＣ６の直流電圧がツェナーダイオードＺＤのツェナー電圧を越えないように設計されている。ランプ寿命末期等の異常時には、ランプ両端電圧が上昇し、コンデンサＣ６の直流電圧がツェナーダイオードＺＤのツェナー電圧を越える。これにより、コンデンサＣ７と抵抗Ｒ８の並列回路にコンデンサＣ６から電流が流れて、トランジスタＴｒ２のベース電位が上昇する。トランジスタＴｒ２とＴｒ１は自己保持回路を構成するように接続されており、トランジスタＴｒ２がＯＮすると、トランジスタＴｒ２のコレクタ電流によりトランジスタＴｒ１のベース電流が供給され、また、トランジスタＴｒ１のコレクタ電流によりトランジスタＴｒ２のベース電流が供給されることにより、トランジスタＴｒ２とＴｒ１はＯＮし続ける。これにより制御ＩＣ６は発振を停止し、インバータ回路２の発振が停止されるので、ランプ電圧は低下する。このため、コンデンサＣ６の直流電圧は低下し、ツェナーダイオードＺＤはＯＦＦとなるが、電源スイッチをＯＦＦして制御ＩＣ６の電源が遮断されるまで、トランジスタＴｒ２とＴｒ１はＯＮ状態を保持し、発振停止が維持される。
【００１４】
次に、始動電圧ピーク検出回路５はランプ寿命末期検出回路３の抵抗Ｒ６に得られる分圧電圧を抵抗Ｒ１０とＲ９によりさらに分圧し、抵抗Ｒ９に得られた電圧をトランジスタＱ３のベース・エミッタ間に供給しており、トランジスタＱ３のコレクタを制御ＩＣ６の発振制御端子に接続している。始動時にランプ両端電圧が上昇すると、ランプ寿命末期検出回路３の抵抗Ｒ６に得られる分圧電圧が上昇し、抵抗Ｒ１０を介してある一定電圧にてトランジスタＱ３がＯＮする。そうすると、制御ＩＣ６の発振制御端子からトランジスタＱ３のコレクタ・エミッタ間に電流が流れて、インバータ回路２の出力が低下するように制御ＩＣ６の発振が制御され、ランプ両端電圧の上昇が抑えられる。そのため、始動モード時の電圧は略一定となり、図２２のような始動電圧のバラツキを抑えることができる。
【００１５】
本実施の形態におけるインバータ回路２の共振カーブ上での動作点の推移を図２に、電源投入時からの発振周波数の推移を図３に、放電灯Ｌａの両端に印加される電圧の推移を図４に示す。図４において、実線は正常点灯時、破線は寿命末期時のランプ両端電圧の推移を示している。
【００１６】
ところで、トランジスタＱ３のｈｆｅは低温時には低く、高温時には高いため、周囲温度に応じてトランジスタＱ３から制御ＩＣ６に入力される始動電圧抑制のためのコレクタ電流の大きさも変化する。すなわち、低温時には始動電圧抑制のためのコレクタ電流も小さくなるので、始動電圧は高くなり、高温時には始動電圧抑制のためのコレクタ電流も大きくなるので、始動電圧は低くなる。図５にその変化を示す。図中、実線は放電灯点灯装置の始動電圧の変化を示しており、破線はランプ始動に必要な電圧の変化を示している。各周囲温度において放電灯点灯装置のランプ両端電圧はランプの始動に必要な電圧を上回っており、始動性は確保されている。また、トランジスタＱ３がＯＮするのはランプ両端電圧が上昇した時のみのため、電源電圧変動時でもトランジスタＱ３がＯＮする始動電圧は略一定となる。
【００１７】
本回路構成でインバータ回路２の共振回路の部品定数を同一とした場合の１００Ｖ時と２００Ｖ時の共振カーブを図６に示す。各発振周波数を、ｆＢ（１００Ｖ）：１００Ｖ時下限周波数、ｆＢ（２００Ｖ）:２００Ｖ時下限周波数、ｆｐｈ（１００Ｖ）:１００Ｖ時予熱周波数、ｆｐｈ（２００Ｖ）：２００Ｖ時予熱周波数、ｆｓ（１００Ｖ）:１００Ｖ時始動周波数、ｆｓ（２００Ｖ）:２００Ｖ時始動周波数、ｆ（１００Ｖ）：１００Ｖ時点灯周波数、ｆ（２００Ｖ）：２００Ｖ時点灯周波数とすると、１００Ｖ時と２００Ｖ時について、予熱電流については制御ＩＣ６の外付け抵抗で決まり、始動電圧についてはｆＢ＜ｆ０とすると始動電圧ピーク検出回路５により同等となる。すなわち、点灯周波数ｆ（１００Ｖ），ｆ（２００Ｖ）のみを個別に設定（具体的には外付けの抵抗とコンデンサにより設定）することにより、１００Ｖと２００Ｖの放電灯点灯装置を共用化できる。この時の各周波数の関係は、図６に示すように、ｆＢ（１００Ｖ）＜ｆ（１００Ｖ）＜ｆＢ（２００Ｖ）＜ｆ０＜ｆｓ（１００Ｖ）＜ｆｓ（２００Ｖ）＜ｆ（２００Ｖ）＜ｆｐｈ（１００Ｖ）＜ｆｐｈ（２００Ｖ）となる。
【００１８】
なお、本実施の形態では、ｆ０をリモコン干渉周波数帯（３０〜４０ｋＨｚ）とすることにより、各モードの発振周波数がリモコン干渉周波数帯を避けるようにして、赤外線を用いたリモコン機器の誤動作を防止している。
【００１９】
（実施の形態２）
図７は本発明の第２の実施の形態の回路図である。この実施の形態では、始動電圧ピーク検出回路５に熱応動性素子Ｒｔ（例えば温度補償用ポジスタ）を使用した場合である。本実施の形態の始動電圧ピーク検出回路５は、ランプ寿命末期検出回路３のモニター値（コンデンサＣ５と抵抗Ｒ６の直列回路の両端電圧）を、ダイオードＤ８と抵抗Ｒ１０、Ｒ９により取り出している。定電圧源（制御ＩＣ６の電源）を熱応動性素子Ｒｔと抵抗Ｒ１１により分圧した電圧値を周囲温度検知信号として制御ＩＣ７に入力している。制御ＩＣ７は、この周囲温度検知信号により始動電圧値を制御している。熱応動性素子Ｒｔは周囲温度により抵抗値が変わるため、制御ＩＣ７への入力電圧も変化する。この変化に応じて制御ＩＣ７の内部プログラムにより始動電圧ピーク検出の閾値を変化させている。周囲温度により検出閾値が変わるため、制御ＩＣ７から制御ＩＣ６に供給される始動電圧抑制のための信号のレベルを変化させ、始動電圧値を制御している。上記制御ＩＣ７のプログラムは、図８に示すように、周囲温度に対して低温＞高温＞常温と、常温時を変曲点として始動電圧が変化するようにプログラムされており、放電灯Ｌａの点灯電圧に対して略同等の変化カーブとなる。この実施の形態ではロスなく確実にどの周囲温度においても点灯可能となるため、コストダウン、小型化に有利となる。なお、実施の形態では、限流チョークＬ１の２次巻線からダイオードＤ５および抵抗Ｒ３を介して制御ＩＣ６の電源を得ているが、これに限定されるものではない。
【００２０】
（実施の形態３〉
実施の形態１の回路構成（図１）のプリント基板への実装構造の一例を図９に示す。図中、８は電源入力端子、９はランプ出力端子、１０はプリント基板である。この実施の形態では、プリント基板１０に両面実装基板を使用し、スイッチング素子Ｑ１、Ｑ２に面実装品を使用し、表裏略同位置に実装している。
【００２１】
この放電灯点灯装置を使用した照明器具の一例を図１０に示す。これは据え置き型デスクスタンドの例である。図中、１１は器具本体、１２はスイッチ、１４はセード、１５はランプソケット、１８は電源線、１９はランプ配線、２０は点灯装置収納箇所、Ｌａはランプである。ランプＬａとしては例えばＵ字型の蛍光ランプを用いている。放電灯点灯装置の小型化が実現できたため、図１１に示すように、照明器具のセード１４内の点灯装置収納箇所２０にプリント基板１０を収納することが可能となり、ランプソケット１５と反対側にプリント基板１０を配置している。
【００２２】
この実施の形態ではセード１４内に点灯装置を収納しているため、器具本体１１の形状にとらわれないデザインが実現できる。また、セード１４の中心を基準として略同範囲にランプＬａの光を与えることができるため、デザインバランスに優れ、また、ランプＬａの最冷点近傍に点灯装置を配置することになり、温度的に有利となる。
【００２３】
（実施の形態４）
図９の実装構造の点灯装置を使用した照明器具の他の一例を図１２〜図１４に示す。実施の形態３と同じく据え置き型デスクスタンドの例である。図中、１１は器具本体、１２はスイッチ、１３は立設部、１４はセード、１５はランプソケット、１８は電源線、１９はランプ配線、２０は点灯装置収納箇所、Ｌａはランプである。ランプＬａとしては例えばＵ字型の蛍光ランプを用いている。この実施の形態では、ランプＬａが装着されるセード１４における器具本体１１と連結する立設部１３の近傍に点灯装置収納箇所２０を配置している。この実施の形態では、点灯装置をセード１４の内部に収納し、セード１４の中央部に立設部１３を設けているにもかかわらず、電源線１８とランプ配線１９を交差（もしくは近接）させることがないため、ノイズの影響の少ない照明器具を提供できる。なお、セード１４の中央でなく端部に立設部１３を設けると、電源線とランプ配線の交差はないが、器具のバランスを考慮すると立設部１３の形状を太くしないと安定性が悪くなる。
【００２４】
【発明の効果】
本発明によれば、ランプ寿命末期検出回路は放電灯の両端電圧を分圧する第１の抵抗直列回路を備え、この第１の抵抗直列回路により分圧された電圧を監視しており、始動電圧ピーク検出回路は前記第１の抵抗直列回路により分圧された電圧をさらに分圧する第２の抵抗直列回路を備え、この第２の抵抗直列回路により分圧された電圧を監視するようにしたので、従来の放電灯点灯装置と比べて複雑な回路構成とすることなく、また、同等の部品スペックで放電灯の寿命末期の正常点灯しない状態で構成部品に印加される電気的ストレスを抑えることができ、周囲温度や電源電圧の変化に対しても確実に放電灯の始動性を確保し、安全で信頼性の高い放電灯点灯装置を提供することができる。
【図面の簡単な説明】
【図１】本発明の実施の形態１の回路図である。
【図２】本発明の実施の形態１における電源投入時からの共振カーブ上での動作点の推移を示す説明図である。
【図３】本発明の実施の形態１における電源投入時からの発振周波数の推移を示す説明図である。
【図４】本発明の実施の形態１における電源投入時からのランプ両端に印加される電圧の推移を示す説明図である。
【図５】本発明の実施の形態１における始動電圧の温度特性カーブを示す説明図である。
【図６】本発明の実施の形態１における電源電圧が１００Ｖと２００Ｖの場合の各共振カーブ上における発振周波数の設定を示す説明図である。
【図７】本発明の実施の形態２の回路図である。
【図８】本発明の実施の形態２における始動電圧の温度特性カーブを示す説明図である。
【図９】本発明の実施の形態１におけるプリント基板の実装構造を示す側面図である。
【図１０】本発明の実施の形態１の放電灯点灯装置を用いた照明器具の正面図である。
【図１１】本発明の実施の形態１の放電灯点灯装置を用いた照明器具の点灯装置収納箇所の拡大図である。
【図１２】本発明の実施の形態１の放電灯点灯装置を用いた照明器具の正面図である。
【図１３】本発明の実施の形態１の放電灯点灯装置を用いた照明器具の側面図である。
【図１４】本発明の実施の形態１の放電灯点灯装置を用いた照明器具の点灯装置収納箇所の拡大図である。
【図１５】従来例１の回路図である。
【図１６】従来例１における電源投入時からの共振カーブ上での動作点の推移を示す説明図である。
【図１７】従来例１における電源投入時からの発振周波数の推移を示す説明図である。
【図１８】従来例１における電源投入時からのランプ両端に印加される電圧の推移を示す説明図である。
【図１９】従来例２の回路図である。
【図２０】従来例２における電源投入時からの共振カーブ上での動作点の推移を示す説明図である。
【図２１】従来例２における電源投入時からの発振周波数の推移を示す説明図である。
【図２２】従来例２における電源投入時からのランプ両端に印加される電圧の推移を示す説明図である。
【図２３】従来例１または２の照明器具の斜視図である。
【図２４】従来例１または２の照明器具の正面図である。
【図２５】従来例１または２の照明器具の側面図である。
【符号の説明】
１    電源平滑回路
２    インバータ回路
３    ランプ寿命末期検出回路
４    発振停止回路
５    始動電圧ピーク検出回路
６    制御ＩＣ
Ｌａ  ランプ
【図１】
0004120192.tif 000002
【図２】
0004120192.tif 000003
【図３】
0004120192.tif 000004
【図４】
0004120192.tif 000005
【図５】
0004120192.tif 000006
【図６】
0004120192.tif 000007
【図７】
0004120192.tif 000008
【図８】
0004120192.tif 000009
【図９】
0004120192.tif 000010
【図１０】
0004120192.tif 000011
【図１１】
0004120192.tif 000012
【図１２】
0004120192.tif 000013
【図１３】
0004120192.tif 000014
【図１４】
0004120192.tif 000015
【図１５】
0004120192.tif 000016
【図１６】
0004120192.tif 000017
【図１７】
0004120192.tif 000018
【図１８】
0004120192.tif 000019
【図１９】
0004120192.tif 000020
【図２０】
0004120192.tif 000021
【図２１】
0004120192.tif 000022
【図２２】
0004120192.tif 000023
【図２３】
0004120192.tif 000024
【図２４】
0004120192.tif 000025
【図２５】
0004120192.tif 000026